(57)【要約】【課題】竿の使用時、特に遠投時と仕掛け巻取り時に軽量とすることで竿に対する負荷を軽減し、かつ、駆動時間が長い穂先ライトを提供する。【解決手段】竿先近傍に取り付けられる穂先ライトＬ１であって、竿先近傍に装着される取付部２０と、光源１１を具備しかつ取付部２０に対して取り付けられる光源部１０と、光源部１０から延びるリード線４０と、リード線４０の端部に接続されかつ光源１１を駆動する電源を収容した電源部３０と、を備える。光源部１０取付部２０に対して着脱可能に取り付けられ、竿のしゃくり上げにより生じるリード線４０の張力により光源部１０が取付部２０から離脱する。光源部１０と取付部２０を着脱可能に取り付ける手段が磁力によるものである。【選択図】図１
2014143973.tif 000002
【特許請求の範囲】
【請求項１】
魚信を得るための穂先ライト（Ｌ１）であって、
光源（１１）を具備しかつ竿の竿先近傍に取り付けられる光源部（１０）と、
前記光源部（１０）から延びるリード線（４０）と、
前記リード線（４０）の端部に接続されかつ前記光源（１１）を駆動する電源を収容した電源部（３０）と、を備えたことを特徴とする穂先ライト。
【請求項２】
前記光源部（１０）が竿の竿先近傍に着脱可能に取り付けられ、竿のしゃくり上げにより生じる前記リード線（４０）の張力により前記光源部（１０）が竿から離脱することを特徴とする請求項１に記載の穂先ライト。
【請求項３】
前記光源部（１０）を竿の竿先近傍に着脱可能に取り付ける手段が磁力によるものであることを特徴とする請求項２に記載の穂先ライト。
【発明の詳細な説明】
【技術分野】
【０００１】
本発明は、夜釣りの魚信を得るためのライトすなわち穂先ライトといわれるものに関し、特に、容量の大きい電源を使用でき、使用時の工程に応じて竿に対して着脱可能な穂先ライトに関する。
【背景技術】
【０００２】
穂先ライトは、投げ釣り用竿の先端に取り付けられる光源を備えた夜釣り用の漁具であり、魚が掛かったことで道糸が張り、投げ釣り用竿の先端が揺れることによって、穂先ライトの光源が揺れ、それにより暗い中でも魚信をとらえることのできるものである（例えば特許文献１）。
【０００３】
図３は、投げ釣り用竿２の先端近傍に取り付けられた従来の一般的な穂先ライトＬ０の構成図であり、（Ａ）は外観斜視図、（Ｂ）は展開斜視図である。
【０００４】
穂先ライトＬ０は、発光ダイオード（以下「ＬＥＤ」と称する）１１１を端部に装着した筒形状の光源部１１０と、光源部１１０を投げ釣り用竿２に対し着脱可能に取り付けるための取付部１２０と、ＬＥＤ１１１を駆動させるため小型電池（ボタン電池、リチウム電池など）からなる電源部１３０とで主に構成される。取付部１２０には、投げ釣り用竿２を嵌め込む溝と、光源部１１０を受容する受け口とが形成されている。光源部１１０に電源部１３０を挿入することによってＬＥＤ１１１が点灯する仕組みとなっている。このように、従来方式の穂先ライトＬ０では、光源部１１０と電源部１３０が一体に組み合わされて投げ釣り用竿２に取り付けられる。なお、図３の光源部１１０と取付部１２０は分離可能であるが、これらが一体成型されたものもある。符号１は、道糸である。
【０００５】
穂先ライトは、竿において最も細い竿先近傍に取り付けるものである。従って、穂先ライトの重量に起因して仕掛け遠投時及び仕掛け巻取り時の竿先の負荷並びに使用する釣り人の違和感を生じ易い。これらの点を考慮すれば、穂先ライトは小型軽量であることが好ましく、小型軽量であるほど、釣り人の違和感を軽減して本来の竿の性能に近づくとされてきた。
現在では、部品の小型軽量化や、リチウム電池などの電源の小型化もあって性能の良い穂先ライトが販売されている。
【先行技術文献】
【特許文献】
【０００６】
【特許文献１】登録実用新案第３０５４９６１号公報
【発明の概要】
【発明が解決しようとする課題】
【０００７】
しかしながら、上述した穂先ライトには、以下のような問題点がある。小型化をしようとするあまり、電源部すなわち電池も小型化してしまい、それに伴い電池容量も小さくなり、駆動時間が非常に短いものとなっている。このことは、高価な小型電池が高頻度で使い捨てされることを意味する。その結果、電池の小型化が進むほど釣り人へのコスト的な負担は大きくなる。
【０００８】
本発明は上記のような問題点に鑑み、竿の使用時、特に遠投時と仕掛け巻取り時に軽量とすることで竿に対する負荷を軽減し、かつ、駆動時間が長い穂先ライトを提供することを目的とする。
【課題を解決するための手段】
【０００９】
上記の課題を解決するために本発明は、以下の構成の穂先ライトを提供する。括弧内の数字は後述する図面中の符号を参考のために付したものであり、本発明を実施例に限定する意図ではない。
【００１０】
本発明の態様は、魚信を得るための穂先ライト（Ｌ１）であって、光源（１１）を具備しかつ竿の竿先近傍に取り付けられる光源部（１０）と、前記光源部（１０）から延びるリード線（４０）と、前記リード線（４０）の端部に接続されかつ前記光源（１１）を駆動する電源を収容した電源部（３０）と、を備えたものである。
上記態様において、前記光源部（１０）が竿の竿先近傍に着脱可能に取り付けられ、竿のしゃくり上げにより生じる前記リード線（４０）の張力により前記光源部（１０）が竿から離脱することが、好適である。また、前記光源部（１０）を竿の竿先近傍に着脱可能に取り付ける手段が磁力によるものであることが、好適である。
【発明の効果】
【００１１】
本発明の穂先ライトは、光源部と電源部を分離して長尺のリード線を介して接続し、竿先近傍に装着した取付部に光源部のみを取り付けることとした。これにより、竿に取り付ける必要のない電源部については、重量及び大きさの制約を受けることがなく、一般的な電池を用いることが可能となる。
【００１２】
例えば、従来方式の穂先ライトに多く使用されているＢＲ４３５形リチウム小型電池（一般的に約５０ｍＡｈ）に替えて、一般的なアルカリ単三形電池（約２０００〜２７００ｍＡｈ）を使用した場合、単純に計算して電池容量は４０倍（２０００ｍＡｈ÷５０ｍＡｈ＝４０）となる。よって、条件を厳しく見積もっても４０倍以上、駆動時間が長くなる。一般的に普及している安価な電池には、アルカリ単三形電池よりもさらに電池容量の大きなものもあり、それらを用いればさらに駆動時間を長く得ることができる。
【００１３】
従来方式のＢＲ４３５形リチウム小型電池などの特殊な電池は、高価である上に釣具店や電気専門店以外では入手し難いため、釣り場で電池切れを起こした場合に対応できないことになる。これに対し、一般的な単三形電池であれば、コンビニや小売店でも入手しやすく、また、安価である。
【００１４】
さらに、本発明の穂先ライトは、光源部が竿の竿先近傍に対して着脱可能に取り付けられる。仕掛けの遠投時には光源部は取り付けず、遠投後に光源部を取り付ける。また、仕掛けの巻き取り時には、しゃくり上げにより生じるリード線の張力により光源部が竿から離脱する。これにより、遠投時及び巻取り時における穂先ライトに起因する釣り人の違和感をほぼ解消し、本来の竿の性能に近づけることを実現できる。
【図面の簡単な説明】
【００１５】
【図１】図１は、本発明の一実施例における穂先ライトの構成を示す、（Ａ）は外観斜視図であり、（Ｂ）は展開斜視図である。
【図２】図２（Ａ）（Ｂ）（Ｃ）は、図１の穂先ライトの使用方法を説明する図である。
【図３】図３は、投げ釣り用竿の竿先近傍に取り付けられた従来の一般的な穂先ライトの構成図であり、（Ａ）は外観斜視図、（Ｂ）は展開斜視図である。
【発明を実施するための形態】
【００１６】
以下、実施例を示した図面を参照しつつ本発明の実施形態を説明する。
図１は、投げ釣り用竿（以下、単に「竿」と称する）２の竿先近傍に取り付けられた本発明の穂先ライトＬ１の一実施例の構成図であり、（Ａ）は外観斜視図、（Ｂ）は展開斜視図である。
【００１７】
図１に示すように、本発明の穂先ライトＬ１は、竿２の竿先近傍に装着された取付部２０と、光源であるＬＥＤ１１を具備し取付部２０に取り付けられる光源部１０と、光源部から延びたリード線４０と、リード線４０の端部に接続された電源部３０とを備えている。電源部３０はＬＥＤ１１の電源を収容し、リード線４０は、電源部３０と光源部１０を電気的に接続している。取付部２０と光源部１０は、白矢印で示すように着脱可能である。すなわち、光源部１０は、竿２に対して着脱可能である。
【００１８】
ＬＥＤ１１は典型的に使用される穂先ライトの光源であるが、電気を使用する光源であればＬＥＤに限らず適用可能である。
【００１９】
図１（Ｂ）を参照して、穂先ライトＬ１の構成を詳細に説明する。光源部１０は、図示の例では、左右対称形状の２つの筐体部品１３ａ、１３ｂから構成された筐体１３を有する。筐体１３は、ＬＥＤ１１の基部を固定するとともに、その内部にＬＥＤ１１に接続された抵抗器１５、磁石１２、及びリード線４０の２本の導線４０ａ、４０ｂの端部を収容している。
【００２０】
電源部３０より延びたリード線４０の負極導線４０ａがＬＥＤ１１のカソードに、正極導線４０ｂがＬＥＤ１１のアノードに、それぞれ半田や圧着により電気的に接続されている。また抵抗器１５は、必要に応じてＬＥＤ１１と直列に結線されるもので、ＬＥＤ１１の駆動電圧や明るさに適した抵抗値とする。
【００２１】
一方の筐体部品１３ａの複数の接合凸部１３ａ１を、他方の筐体部品１３ｂの対応する接合凹部（本図に現れない）に嵌め込むことにより、長方形の平坦な側面をもつ平板状の筐体１３となる。同時に筐体１３内には貫通孔１３ａ２及び環状のＬＥＤ係止溝１３ａ４並びに空洞１３ａ３が形成される。筐体部品１３ａ、１３ｂを互いに嵌め込む際に、貫通孔１３ａ２にリード線４０の端部、抵抗器１５、ＬＥＤ１１のカソード及びアノードの各端子及びＬＥＤ１１の基部を収容する。ＬＥＤ１１の基部の環状突起が係止溝１３ａ４に嵌合する。貫通孔１３ａ２には、電気絶縁性の充填剤を注入し硬化させることが好ましい。これにより配線の短絡や本体部位１３のエッジによるリード線４０の損傷を防ぐことができる。空洞１３ａ３に磁石１２を収容する。このようして、リード線４０の一方の端部に光源部１０を設ける。
【００２２】
光源部１０は、基本的にはＬＥＤ１１等の光源と磁石１２と電源からのリード線４０を接続されていればよく、図示した構成以外にも多様な構成とすることが可能である。
【００２３】
竿２に装着された取付部２０は、光源部１０内の磁石１２との間に引力が作用する磁性材料（ここではマグネットシート）で形成されている。取付部２０は、竿２の竿先近傍に装着可能でありかつ光源部１０を磁力により固定可能な形状であればよく、特定の形状に限定されない。一般的にマグネットシートは、弾性的性質をもったシート状素材で自由に曲げることができる磁石である。シート片面に、粘着剤を備えたものも市販されている。図１（Ｂ）では、粘着剤を備えた長方形のマグネットシートで竿２を挟んで２つ折りにし、対向する粘着面同士を接合させることにより、取付部２０を形成する。これにより図１（Ａ）に示すように、竿２が旗竿のように、取付部２０の平坦部分が旗のようになる。この取付部２０の平坦部分に、光源部１０の筐体１３の平坦な側面を磁力により固定可能である。また、磁力に抗して引き離す力が加われば、光源部１０は取付部２０から離脱する。このように、光源部１０は、取付部２０に対して容易に着脱可能である。
【００２４】
図示の例では、取付部２０をマグネットシートで形成したが、マグネットシートに限らず、磁石１２に引きつけられる部材であればよい。例えば、磁石に引きつけられる鉄板やステンレス板などでもよく、マグネットシート以外の形態の磁石でもよい。これらの部材を適宜の取付手段で竿２に固定すればよい。また、本例とは逆に、竿２に磁石１２を取付け、光源部１０に磁石１２に引きつけられる部材を収容してもよい。
【００２５】
電源部３０より延びたリード線４０は、光源部１０に電源供給する役割を果たすと同時に、釣りの工程における釣り人の動作によって光源部１０を取付部２０から離脱させる役割も果たす。そのために、リード線４０は所定の長さに設定される。すなわちリード線４０は、釣り人が竿２をしゃくり上げた時に弛みがなくなりピンと張られることで、電源部３０とリード線４０の重さを光源部１０に伝達し、それにより光源部１０が取付部２０から脱落するようにする。従って、リード線４０の長さは、竿２をしゃくり上げる途中で弛みがなくなるような長さに設定する。竿２の長さ及び釣り人の身長も関係するため、竿２及び釣り人が同じであれば、リード線４０の長さは一定に決めることができる。しかし、実際には使用する竿２の長さ及び釣り人の身長はさまざまであるため、電源部３０にリード線４０の巻取り機構を設けておき、リード線４０の長さを適宜調節できるようにすることが好ましい。
【００２６】
電源部３０は電池を収容し、リード線４０により電力を出力する。電池の出力をオンオフするスイッチを設けてもよい。電源部３０は、竿２に装着されないので重量の制約がない。よって、十分な容量をもった電池を使用できる。また、大きさや形状も制約されないので、任意の形状の電池を使用できる。竿２に一時的に固定された光源部１０がリード線４０に引っ張られて離脱する際には、電源部３０が錘となって光源部１０を容易に離脱させるように、ある程度の重量を有することが望ましい。
【００２７】
図１（Ｂ）の展開斜視図から示される本発明の穂先ライトの作製方法は一例であって、この作製方法に限定されるものではない。
【００２８】
図２は、図１に示した穂先ライトＬ１の使用方法を説明する図である。図を見やすくするために図２では、リード線４０を１本の線で示している。実際のリード線４０は２本の導線からなるが、これらは寄り合わされるか又は１つの被覆で覆われることにより、実質上は１本の線部材として動く。
【００２９】
図２（Ａ）では、穂先ライトＬ１の光源部１０が取付部２０に固定された状態にある。この状態とする前工程として、竿先近傍に取付部２０のみが装着されており光源部１０は取り外した状態で遠投を行う。その後、竿２を、竿立て等に立てかけて置く。そして、光源部１０を、竿先の取付部２０に磁力により固定して図２（Ａ）の状態とする。このとき、リード線４０は弛んだ状態であり、魚が仕掛けに掛かり道糸１を引いたとしてもリード線４０は弛んだままで、光源部１０が取付部２０から離脱することはない。そしてＬＥＤ１１の光源の揺れによって魚信を得ることができる。
【００３０】
図２（Ｂ）は、魚を針にフックさせるため、または、仕掛けを巻き上げるために立てかけてあった竿２を手で持ちしゃくり上げるときの状態を示している。すなわち、釣り人が竿２の基端部を持って竿先を振り上げるようにする。このとき、リード線４０の弛みがなくなってリード線４０が張り、光源部１０にはリード線４０と電源部３０の重量が同時に加わる。
【００３１】
図２（Ｃ）では、穂先ライトＬ１の光源部１０が取付部２０から離脱した直後の状態を示している。光源部１０は、取付部２０との間の固定力（この場合は磁力）よりもリード線４０から受ける引っ張り力（リード線４０の張力）が上回ったとき取付部２０から離脱する。離脱した光源部１０はそのまま落下する。これにより、竿先は軽くなり、さらにリード線４０も邪魔にならず、釣り人はストレスなく巻き上げ操作を行うことができる。実際には、図２（Ｂ）のしゃくり上げの動作開始と図２（Ｃ）の光源部１０の離脱はほぼ瞬間的に生じる。
【００３２】
巻き上げた仕掛けは、エサ等を交換し、再び遠投を行った後、図２（Ａ）の状態とする。これを繰り返す。
【００３３】
以上述べたとおり、本発明の穂先ライトＬ１は、竿２をしゃくり上げる動作によって穂先ライトＬ１の光源部１０を竿２から離脱させることを可能とする構造を有している。
【００３４】
竿２のしゃくり上げにより光源部１０が竿２から離脱する程度の固定力は、例示した磁気的な固定手段以外にも多様な固定手段によって実現可能である。上述した取付部２０を使用せず、光源部１０を竿２に直接的に着脱可能に取り付けもよい。そのような一時的固定手段として、例えば、光源部１０に洗濯バサミのような弾性的把持構造を形成し、この把持構造を用いて直接竿２を挟んでもよい。所定の力が加わるとこの把持構造が開いて光源部１０が離脱する。あるいは、光源部１０にゴム材料からなるフック構造（一部に切り欠きのある環形状）を形成し、このフック構造を用いて直接竿２に引っ掛けてもよい。所定の力が加わるとフック構造が変形して光源部１０が離脱する。同様の状態変化を生じ得る構造であれば、本発明の範囲に含まれるものとする。
【００３５】
＜電池寿命試験＞  
本発明の穂先ライトと既存の穂先ライトの実駆動時間すなわち電池寿命の比較試験を行った。
【００３６】
先ず、図３に示したタイプの日本国内で販売されている穂先ライトについて、新品のリチウム電池ＢＲ４３５×１本で連続点灯し、実用に適した明るさを維持できる点灯時間を計測した。その結果、穂先ライトメーカーの公称値より６０〜７０％くらいの時間しか電池は持たず、一番長いもので５０〜６０時間程度の点灯時間であった。
【００３７】
一方、本発明の穂先ライトについては、新品の単三形電池×２本を電源部に装填し、同様に点灯時間を計測した。開始後４ヵ月くらいから若干暗くなり始め５ヵ月くらいで光の視認性がなくなった。
【００３８】
電池寿命の試験結果から、電池の形式を変えただけで絶大な効果が得られることが証明された。本発明の穂先ライトは、一般的な電池が利用可能であることから、長寿命であることに加え、コスト的にも環境的にも好ましいものとなる。
【符号の説明】
【００３９】
１  道糸
２  投げ釣り用竿
Ｌ１  穂先ライト
１０  光源部
１１  ＬＥＤ
１３ａ４  ＬＥＤ係止溝
１５  抵抗器
１２  磁石
１３  筐体
１３ａ１  接合凸部
１３ａ２  貫通孔
１３ａ３  空洞
１３ａ、１３ｂ  筐体部材
２０  取付部
３０  電源部
４０  リード線
４０ａ  負極導線
４０ｂ  正極導線
Ｌ０  穂先ライト
１１０  光源部
１１１  ＬＥＤ
１２０  取付部
１３０  電源部
【図１】
2014143973.tif 000003
【図２】
2014143973.tif 000004
【図３】
2014143973.tif 000005